(57)【要約】【課題】写真等１０を保持するスタンド本体１２と、このスタンド本体１２の背面側に組み付けられ、スタンド本体１２を起立状態で支える脚体１６と、により構成されるフォトスタンドにおいて、常に安定した設置状態が得られるフォトスタンドを提供する。【解決手段】スタンド本体１２を支える脚体１６を、長さが異なる二つの辺１６ａ，１６ｂを有する形状に形成し、スタンド本体１２の高さ方向の寸法に応じて異なる辺１６ａまたは１６ｂが設置面２０に接するようにスタンド本体１２に対し組み替え可能な構造とする。【選択図】　図４
2004121557.tif 000002
【特許請求の範囲】
【請求項１】
写真等を保持するスタンド本体と、該スタンド本体の背面側に組み付けられ、スタンド本体を起立状態で支える脚体と、により構成されるフォトスタンドであって、
上記脚体は、長さが異なる二つの辺を有し、上記スタンド本体の高さ方向の寸法に応じて異なる辺が設置面に接するように上記スタンド本体に対し組み替え可能な構造であることを特徴とするフォトスタンド。
【請求項２】
上記脚体は、上記スタンド本体の側部に設けられたレール部材に嵌合されて組み付けられる構造であることを特徴とする請求項１に記載のフォトスタンド。
【発明の詳細な説明】
【０００１】
【発明の属する技術分野】
本発明は写真等を立てた状態で飾るためのフォトスタンドに関する。
【０００２】
【従来の技術】
先ず図５に一般的なフォトスタンドの構成を示す。
図はフォトスタンドを側面から見た状態で、このフォトスタンド１は、写真等を保持するスタンド本体２と、このスタンド本体２を起立状態で支える脚体３と、により構成されている。
脚体３はスタンド本体２の背面側に組み付けられ、スタンド設置時にはこの脚体３によってスタンド本体２を起立状態で背面側から支えるものである。
【０００３】
このようなフォトスタンドでは、スタンド本体をいわゆる横置き状態で設置する場合と縦置き状態で設置する場合とがある。
これに対応するために従来は、スタンド本体２に対し脚体３を回転可能に取り付け、スタンド本体２の横置き状態と縦置き状態とで脚体３を９０度回転させて対応するようにしている（図５のＡは横置き状態、Ｂは縦置き状態を示す）。
【０００４】
【発明が解決しようとする課題】
しかしながら、このような従来のフォトスタンドは安定性に問題があり、特にスタンド本体を縦置き状態で設置する場合は高さ方向の寸法が大になるため不安定になり、倒れ易くなる欠点があった。
【０００５】
本発明は斯かる点に鑑みてなされたもので、写真等を保持するスタンド本体と、このスタンド本体の背面側に組み付けられ、スタンド本体を起立状態で支える脚体と、により構成されるフォトスタンドにおいて、常に安定した最適の設置状態が得られるフォトスタンドを提供することを目的としている。
【０００６】
【課題を解決するための手段】
上記の目的を達成するために本発明は、
スタンド本体を支える脚体を、長さが異なる二つの辺を有する形状に形成し、スタンド本体の高さ方向の寸法に応じて異なる辺が設置面に接するようにスタンド本体に対し組み替え可能な構造としてなるものである。
【０００７】
【発明の実施の形態】
以下、図面を参照しながら本発明の実施例について詳細に説明する。
図１は本発明によるフォトスタンドの斜視図、図２は脚体の組み付けの説明図、図３は脚体が組み付けられるレール部材を上面側から見た拡大図、図４は脚体の組み替え例を示す側面図である。
【０００８】
図１に示す如く本例のフォトスタンド１１は、写真等を保持するスタンド本体１２と、このスタンド本体１２を起立状態で支える脚体１６と、により構成されている。
【０００９】
スタンド本体１２は、長方形の表板１３と裏板１４との間に写真等１０を挟み込み、その状態で表板１３と裏板１４を両側でレール部材１５によって挟んで保持する構造となっている。表板１３と裏板１４は何れも厚紙材によりなり、この表板１３と裏板１４との間に挟み込まれた写真等１０は表板１３の開口窓部１３ａから前面に表出されて見えるようになっている。
【００１０】
レール部材１５はプラスチック成形品であり、ベース部１５ａとこのベース部１５ａから前方に延出されるアーム部１５ｂとの間に表板１３と裏板１４を挿入して挟圧保持するものである。
【００１１】
脚体１６はスタンド本体１２の背面側に組み付けられ、スタンド設置時にはこの脚体１６によってスタンド本体１２を起立状態で背面側から支えるものである。
この脚体１６もまたプラスチック成形品であり、その形状は長さの異なる二つの辺１６ａ，１６ｂを有する三角形の板状で、スタンド本体１２を支えるに充分な大きさに形成されている。尚、ここでは脚体１６の二つの辺１６ａ，１６ｂのうち、長い方の辺１６ａを長辺、短い方の辺１６ｂを短辺と呼ぶことにする。
【００１２】
この脚体１６は、スタンド本体１２の側部に設けられたレール部材１５に嵌合されて組み付けられる構造となっている。
即ち、図２に示す如く脚体１６にはその長辺１６ａと短辺１６ｂに夫々嵌合板部１７ａと１７ｂが脚体１６の本体部に対し直交して形成されており、この嵌合板部１７ａまたは１７ｂがレール部材１５のベース部１５ａの背面側に設けられた組み付け部１８に組み付けられる。組み付け部１８にはレール部材１５の長手方向に沿って一対の対向溝１８ａ，１８ｂが形成されており、この溝１８ａ，１８ｂに嵌合板部１７ａまたは１７ｂを挿入嵌合させて脚体１６を組み付けるものである。
【００１３】
尚、この組み付け部１８には図３に示す如く、嵌合板部１７ａまたは１７ｂが組み付けられた状態でこの嵌合板部１７ａまたは１７ｂに圧接する突起１９が形成されている。この突起１９は嵌合板部１７ａまたは１７ｂに接することで摩擦抵抗として作用し、これがストッパーとなって脚体１６は不用意な動きが抑えられ、安定した状態で組み付けられる構造となっている。
【００１４】
このように構成される本例のフォトスタンド１１は、スタンド本体１２の横置き状態と縦置き状態とで脚体１６を組み替えることによって最適の状態で設置することができる。
【００１５】
即ち、スタンド本体１２を横置き状態で設置する場合は、図４Ａに示す如く、脚体１６の長辺１６ａに設けられた嵌合板部１７ａをレール部材１５の組み付け部１８に嵌合させることにより、脚体１６はその短辺１６ｂが設置面２０に対する接辺となる状態で組み付けられる。
【００１６】
この横置き状態では、スタンド本体１２の高さ方向の寸法が縦置き状態に比べて小さいため、脚体１６はその短辺１６ｂが設置面２０に接するように組み付けられていても、スタンド本体１２を充分に安定した状態で支えることができる。そしてこの脚体１６の組み付け状態では、余分なスペースを取ることなくフォトスタンド１１を設置することができる。
【００１７】
一方、スタンド本体１２を縦置き状態で設置する場合は、図４Ｂに示す如く、脚体１６の短辺１６ｂに設けられた嵌合板部１７ｂをスタンド本体１２の下側になるレール部材１５の組み付け部１８に嵌合させることにより、脚体１６はその長辺１６ａが設置面２０に対する接辺となる状態で組み付けられる。
【００１８】
この縦置き状態では、スタンド本体１２の高さ方向の寸法が横置き状態に比べて大きくなるが、上記の如く脚体１６はその長辺１６ａが設置面２０に接するように組み付けられていることにより、スタンド本体１２を安定した状態で支えることができる。
【００１９】
このようにして本例のフォトスタンド１１は、スタンド本体１２の横置き状態と縦置き状態とで脚体１６を組み替えることにより、最適の状態で設置することができるものである。
【００２０】
またこのフォトスタンドの構造は、大きさの異なるスタンド本体を使い分ける場合にも適用することができる。
即ち、小型のスタンド本体を使用する場合は、脚体１６を図４Ａの如く短辺１６ｂが設置面２０に対する接辺となるように組み付け、大型のスタンド本体を使用する場合は、脚体１６を図４Ｂの如く長辺１６ａが設置面２０に対する接辺となるように組み付けることにより、安定した状態で設置することができる。
【００２１】
以上、本発明の実施例について説明したが、本発明はこの実施例に限定されることなく他にも種々の実施形態を採り得るものであることは言うまでもない。
【００２２】
【発明の効果】
以上の説明で明らかな如く本発明のフォトスタンドは、スタンド本体の高さ方向の寸法に応じて脚体を組み替えることにより、常に安定した最適の状態で設置することができる効果がある。
【図面の簡単な説明】
【図１】本発明によるフォトスタンドの斜視図である。
【図２】同、脚体の組み付けの説明図である。
【図３】同、脚体が組み付けられるレール部材を上面側から見た拡大図である。
【図４】同、脚体の組み替え例を示す側面図で、Ａはスタンドの横置き状態、Ｂは縦置き状態の場合である。
【図５】従来のフォトスタンドの例を示す側面図で、Ａはスタンドの横置き状態、Ｂは縦置き状態の場合である。
【符号の説明】
１０・・・・写真等
１１・・・・フォトスタンド
１２・・・・スタンド本体
１３・・・・表板
１４・・・・裏板
１５・・・・レール部材
１６・・・・脚体
１６ａ・・・・長辺
１６ｂ・・・・短辺
１７ａ，１７ｂ・・・・嵌合板部
１８・・・・組み付け部
１８ａ，１８ｂ・・・・対向溝
１９・・・・突起
２０・・・・設置面
【図１】
2004121557.tif 000003
【図２】
2004121557.tif 000004
【図３】
2004121557.tif 000005
【図４】
2004121557.tif 000006
【図５】
2004121557.tif 000007